(57)【特許請求の範囲】
【請求項１】
少なくとも一方の側面に開口部を有する収納部内に、光源を実装した光源用基板を収納し、前記収納部に連通する窓部を正面に形成した照明装置用容器と、
前記光源用基板の背面に当接して前記収納部における前記光源用基板の位置を規定するスペーサと、を備え、
前記窓部は、前記照明装置用容器の正面に全周を包囲されており、
前記一方の側面に開放し、前記スペーサが前記開口部から着脱自在に挿入される段部を前記収納部に形成し、
前記スペーサは、前記光源用基板を前記開口部から前記収納部内に収納した後に、前記光源用基板の背面に当接するように前記段部に挿入された際に、前記光源用基板を前記窓部に接近させる照明装置。
【請求項２】
前記段部は、前記収納部の全域にわたって前記正面に平行に形成された請求項１に記載の照明装置。
【請求項３】
前記正面に平行な方向に沿って前記段部を含む一様な断面を呈する押出し材に前記窓部を開設した請求項２に記載の照明装置。
【請求項４】
内側面が前記窓部の縁部に全周にわたって当接する透光性の板材であって、前記内側面に前記収納部に収納された前記光源が対向する透光性の板材をさらに備えた請求項１乃至３の何れかに記載の照明装置。
【請求項５】
前記照明装置用容器は、耐圧防爆型の容器である請求項４に記載の照明装置。
【発明の詳細な説明】
【技術分野】
【０００１】
この発明は、照明装置に関し、特に、光源の取付構造に関する。
【背景技術】
【０００２】
従来の照明装置として、例えば防爆型照明装置がある。石油化学プラント等の可燃性ガス雰囲気の危険区域内でも、暗所や夜間の作業時に照明が必要とされる場合がある。このため、光源を電源回路等の電気部品とともに防爆構造の防爆容器に収納した防爆型照明装置が提案されている（例えば、特許文献1参照。）。
【０００３】
防爆型照明装置に用いられる防爆容器は、内部に収納した光源の光を外部に照射するため、一部にガラス板で被覆した窓部を備えている。防爆容器は、筐体の内部で発生した火焔がガラス板の周囲を経由して外部に放出しないように、窓部の周縁部とガラス板の周囲との間を密封する必要がある。
【０００４】
この場合に、光源や電気部品を実装した基板は、防爆容器の側面の開口部から、ガラス板に平行に防爆容器の内部に挿入する。
【先行技術文献】
【特許文献】
【０００５】
【特許文献１】特開平１１−０５３９２９号公報
【発明の概要】
【発明が解決しようとする課題】
【０００６】
上記の防爆型照明装置のように、光源を容器の側面の開口部から組み込む照明装置の場合、窓部に配置されたガラス板の内側面と光源との間に間隙が形成される。このため、光源から照射された光の配光角度が狭くなる。
【０００７】
この発明の目的は、光源を容器の側面から組み込む照明装置において、光源の光の配光角度の拡大化を実現できる照明装置を提供することにある。
【課題を解決するための手段】
【０００８】
この発明に係る照明装置は、容器、スペーサを備えている。容器は、少なくとも一方の側面に開口部を有する収納部内に、光源を実装した光源用基板を収納し、収納部に連通する窓部を正面に形成し、収納部に段部を形成したものである。スペーサは、光源用基板の背面に当接して前記収納部における前記光源用基板の位置を規定する。窓部は、照明装置用容器の正面に全周を包囲されている。段部は、一方の側面に開放し、スペーサが開口部から着脱自在に挿入される。スペーサは、光源用基板を開口部から収納部内に収納した後に、光源用基板の背面に当接するように段部に挿入された際に、光源用基板を窓部に接近させる。
【０００９】
この構成においては、光源用基板の背面の位置を規定するスペーサが、収納部に形成された段部に一方の側面から着脱自在に挿入される。収納部内に光源用基板を収納した後にスペーサを段部に挿入すると、スペーサの厚さだけ光源用基板が窓部方向に移動する。
【００１０】
この構成において、段部を正面に平行にして一方の側面に直交する方向に連続して形成することが好ましい。スペーサを収納部の全長にわたって容易に収納することができる。
【００１１】
また、正面に平行な方向に沿って段部を含む一様な断面を呈する押出し材に窓部を開設することが好ましい。段部を正面に平行にして一方の側面に直交する方向に連続して形成することができる。
【発明の効果】
【００１２】
この発明によれば、スペーサを収納部内に挿入することで、スペーサの厚み分で窓部と光源との間の間隙を小さくすることができ、光源からの光の配光角度の拡大化を実現できる。
【図面の簡単な説明】
【００１３】
【図１】この発明の実施形態に係る照明装置の組立図である。
【図２】（Ａ）及び（Ｂ）は、同照明装置の本体の形成状態を示す側面断面図である。
【図３】同照明装置の側面断面図である。
【発明を実施するための形態】
【００１４】
以下に、この発明の実施形態に係る照明装置について、図面を参照しつつ説明する。
【００１５】
図１及び図２に示すように、この発明の照明装置用容器である防爆容器１００は、耐圧防爆構造の容器であり、本体１、蓋体（図示せず。）カバー１３を備えている。本体１は、正面（図１及び図２において上向き。）１Ａに矩形状の窓部１１を備え、両側面１Ｂ，１Ｃに開口部１２を備えた筐体であり、内部の収納部１０に光源であるＬＥＤ３０を実装した光源用基板３１及び電気部品４０を実装した電気部品用基板４１をスペーサ５０とともに収納する。
【００１６】
蓋体は、本体１の側面１Ｂ，１Ｃのそれぞれに固定され、開口部１２を塞ぐ。蓋体には、ケーブル引込部が形成されている。ケーブル引込部は、光源及び電気部品に対する電源線及び信号線が挿通された状態で、本体１の内部を外部に対して遮蔽する。
【００１７】
ガラス板３は、この発明の透光性の板材に相当し、窓部１１よりも面積の大きい矩形状の強化ガラスであり、正面１Ａに配置されて窓部１１を被覆する。ガラス板３は、光が通過する材質であればよく、プラスチック板でもよい。
【００１８】
カバー１３は、本体１の正面１Ａ側の外側面に複数の固定ネジ１３Ｂを介して装着される。カバー１３には、窓部１１と同一形状又は窓部１１よりも大きくガラス板３よりも小さい形状の開口１３Ａが形成さている。留め具４は、ガラス板３において保持部１３の両端から露出した部分を被覆する。
【００１９】
図２（Ａ）に示すように、本体１は、押出し成形により、一対の段部２０が内部の収納部１０に一体に形成された状態の一様な断面形状に成形される。この後、図２（Ｂ）に示すように、切削加工により、凹部１４が形成され、さらに正面１Ａに窓部１１が開設される。凹部１４には、ガラス板３が収容される。
【００２０】
したがって、一対の段部２０は、収納部１０内において、正面１Ａに平行な方向の全域にわたって形成される。また、収納部１０は、両側面１Ｂ，１Ｃにおいて開口部１２として開放している。
【００２１】
図３に示すように、本体１の収納部１０には、光源であるＬＥＤ３０を実装した光源用基板３１、電気部品４０を実装した電気部品用基板（具体的には、駆動電源用基板である。）４１が、開口部１２から挿入される。ＬＥＤ３０には、レンズ３０Ａが装着されている。図２（Ａ），（Ｂ）に示したように、正面１Ａの存在により、レンズ３０Ａが正面１Ａの内側面に干渉しないように、レンズ３０Ａをガラス板３の内側面から少なくとも正面１Ａの厚みＤだけ背面側に離間させて、光源用基板３１を開口部１２から挿入する必要がある。
【００２２】
ガラス板３の内側面とレンズ３０Ａとの間に厚みＤ分の間隙が形成されると、収納部１０内に無駄なスペースが存在して本体１が大型化するだけでなく、ＬＥＤ３０からの光の配光角度が狭くなる。
【００２３】
そこで、光源用基板３１を収納部１０内に収納した後に、光源用基板３１の背面側に当接するスペーサ５０を段部２０内に開口部１２から挿入する。スペーサ５０の厚さは、正面１Ａの厚さＤに略等しくされており、光源用基板３１を厚さＤだけガラス板３の内側面に向けて移動させる。
【００２４】
また、段部２０の窓部１１側に別の段部２０Ａが段部２０と同様に設けられている。レンズ３０Ａが装着されていないＬＥＤ３０を実装した光源用基板を使用する場合には、この光源用基板を収納部１０内に収納した後に、光源基板の背面側に当接するスペーサを段部２０Ａ内に開口部１２から挿入する。このように、窓部１１に向かう方向に段部を複数設けておくことにより、光源用基板の種類に応じて窓部１１に最も接近するように光源基板を収納部１０内に配置することができる。また、スペーサを複数の段部の何れかに選択的に挿入することで、所望の配光角度を得ることができる。
【００２５】
図１に示すように、光源用基板３１及び電機部品用基板４１は側面１Ｂ側から収納部１０に収納部１０内に挿入され、光源用基板３１に固定された金具３１Ａがネジ３１Ｂで収納部内に固定される。スペーサ５０は側面１Ｃ側から収納部１０に挿入される。このとき、スペーサ５０は、挿入方向の先端が金具３１Ａに当接する位置で停止する。スペーサ５０の挿入方向の後端は、収納部に螺合するネジ５０Ａの頭部に当接する。スペーサ５０は、金具３１Ａ及びネジ５０Ａの頭部に両端が当接することで、収納部１０内に固定される。
【００２６】
なお、一対の段部２０のそれぞれは、挿入されたスペーサ５０における光源用基板３１の背面との当接面から正面１Ａの外側面までの長さが、レンズ３０Ａを実装した光源用基板３１の高さに一致する位置に形成されている。
【００２７】
これによって、レンズ３０Ａとガラス板３の内側面との間の間隙が少なくなり、収納部１０内に無駄なスペースが形成されることがなく、本体１の大型化を防止できる。また、ＬＥＤ３０の光の配光角度を広くすることができる。
【００２８】
本体１は、必ずしも押出し成形で形成する必要はなく、段部２０を切削加工で収納部１０内に形成すること、又は別部品の段部２０を収納部１０に取り付けることも可能である。
【００２９】
上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。例えば、照明装置は、防爆型照明装置に限らない。
【符号の説明】
【００３０】
１−本体
１Ａ−正面
１Ｂ，１Ｃ−側面
３−ガラス板
１０−収納部
１１−窓部
２０−段部
３０−ＬＥＤ（光源）
３１−光源用基板
５０−スペーサ
１００−防爆容器
【図１】
0005681428.tif 000002
【図２】
0005681428.tif 000003
【図３】
0005681428.tif 000004